(57)【要約】【課題】発光セグメントを連続した表示領域として認識させることが可能な有機エレクトロルミネッセンスデバイスの駆動方法を提供する。【解決手段】３層以上の電極層と、電極層間に設けられた２層以上の有機層とを備え、連続する２層の電極層に形成される電極は、平面配置で部分的に重複する領域を有し、且つ、連続する３層の電極にそれぞれ形成される電極は、平面配置において３層全てが重複する部分を有していない積層構造を有する有機ＥＬデバイスを、第１有機層に供給する印加電圧をＶ１、印加時間をｔ１とし、第２有機層に供給する印加電圧をＶ２、印加時間をｔ２としたとき、［Ｖ１×ｔ１］の値Ｓ１と［Ｖ２×ｔ２］の値Ｓ２とが、［Ｓ１＜Ｓ２］又は［Ｓ１＞Ｓ２］を満たす条件で駆動する。【選択図】図１
2018185481.tif 000002
【特許請求の範囲】
【請求項１】
３層以上の電極層と、前記電極層間に設けられた２層以上の有機層とを備え、
前記電極層として、第１電極層と、第２電極層と、第３電極層とを有し、
前記有機層として、前記第１電極層と前記第２電極層との間に設けられた第１有機層と、前記第２電極層と前記第３電極間に設けられた第２有機層とを有し、
連続する２層の前記電極層に形成される電極は、平面配置で部分的に重複する領域を有し、且つ、連続する３層の電極にそれぞれ形成される電極は、平面配置において３層全てが重複する部分を有していない積層構造を有し、
前記第１電極層側からのみ光を射出する有機エレクトロルミネッセンスデバイスの駆動方法であって、
前記第１有機層に供給する印加電圧をＶ１、印加時間をｔ１とし、前記第２有機層に供給する印加電圧をＶ２、印加時間をｔ２としたとき、［Ｖ１×ｔ１］の値Ｓ１と［Ｖ２×ｔ２］の値Ｓ２とが、［Ｓ１＜Ｓ２］又は［Ｓ１＞Ｓ２］を満たす条件で制御する
有機エレクトロルミネッセンスデバイスの駆動方法。
【請求項２】
前記第１有機層に供給する印加電圧Ｖ１と前記第２有機層に供給する印加電圧Ｖ２とを［Ｖ１＝Ｖ２］とし、前記第１有機層に供給する印加時間ｔ１と前記第２有機層に供給する印加時間ｔ２とを［ｔ１＜ｔ２］とする条件で制御する請求項１に記載の有機エレクトロルミネッセンスデバイスの駆動方法。
【請求項３】
前記第１有機層に供給する印加時間ｔ１と前記第２有機層に供給する印加時間ｔ２とを［ｔ１＝ｔ２］とし、前記第１有機層に供給する印加電圧Ｖ１と前記第２有機層に供給する印加電圧Ｖ２を［Ｖ１＜Ｖ２］とする条件で制御する請求項１に記載の有機エレクトロルミネッセンスデバイスの駆動方法。
【請求項４】
４層以上の電極層と、前記電極層間に設けられた３層以上の有機層とを備え、
前記電極層として、第１電極層と、第２電極層と、第３電極層と、第４電極層とを有し、
前記有機層として、前記第１電極層と前記第２電極層との間に設けられた第１有機層と、前記第２電極層と前記第３電極間に設けられた第２有機層と、前記第３電極層と前記第４電極間に設けられた第３有機層とを有し、
連続する２層の前記電極層に形成される電極は、平面配置で部分的に重複する領域を有し、且つ、連続する３層の電極にそれぞれ形成される電極は、平面配置において３層全てが重複する部分を有していない積層構造を有し、
前記第１電極層側からのみ光を射出する有機エレクトロルミネッセンスデバイスの駆動方法であって、
前記第１有機層に供給する印加電圧をＶ１、印加時間をｔ１とし、前記第２有機層に供給する印加電圧をＶ２、印加時間をｔ２とし、前記第３有機層に供給する印加電圧をＶ３、印加時間をｔ３としたとき、［Ｖ１×ｔ１］の値Ｓ１と［Ｖ２×ｔ２］の値Ｓ２と［Ｖ３×ｔ３］の値Ｓ２とが、［Ｓ１＜Ｓ２＜Ｓ３］、［Ｓ１＞Ｓ２＞Ｓ３］、又は、［Ｓ２＞Ｓ１＞Ｓ３］を満たす条件で制御する
有機エレクトロルミネッセンスデバイスの駆動方法。
【請求項５】
前記第１有機層に供給する印加電圧Ｖ１と前記第２有機層に供給する印加電圧Ｖ２と前記第３有機層に供給する印加電圧Ｖ３を［Ｖ１＝Ｖ２＝Ｖ３］とし、前記第１有機層に供給する印加時間ｔ１と前記第２有機層に供給する印加時間ｔ２と前記第３有機層に供給する印加時間ｔ３を［ｔ１＜ｔ２＜ｔ３］とする条件で制御する請求項４に記載の有機エレクトロルミネッセンスデバイスの駆動方法。
【請求項６】
前記第１有機層に供給する印加時間ｔ１と前記第２有機層に供給する印加時間ｔ２と前記第３有機層に供給する印加時間ｔ３を［ｔ１＝ｔ２＝ｔ３］とし、前記第１有機層に供給する印加電圧Ｖ１と前記第２有機層に供給する印加電圧Ｖ２と前記第３有機層に供給する印加電圧Ｖ３を［Ｖ１＜Ｖ２＜Ｖ３］とする条件で制御する請求項４に記載の有機エレクトロルミネッセンスデバイスの駆動方法。
【発明の詳細な説明】
【技術分野】
【０００１】
本発明は、有機エレクトロルミネッセンスデバイスの駆動方法に係わる。
【背景技術】
【０００２】
照明、インジケータ、ディスプレイ等の表示装置として、有機エレクトロルミネッセンス（ＥＬ）素子の研究、開発が盛んに行われている。例えば、ディスプレイではアノード電極とカソード電極とを二次元で格子状に配線したドットマトリクス方式の有機ＥＬ表示装置が知られている。ドットマトリクス方式では、複数のアノード電極がストライプ状で互いに平行に配置され、複数のカソード電極がストライプ状で互いに平行に配置される。さらに、アノード電極とカソード電極とが直行して配置され、アノード電極とカソード電極とに挟まれた有機発光層が発光する。また、マトリクス状に配列された構成では、複数の発光領域と非発光領域を有する構成となる（例えば、特許文献１参照）。
【０００３】
有機ＥＬデバイスの駆動方法としては、複数の電極及び複数の有機ＥＬ発光層を積層して発光させることにより合成した色を表示する方法（例えば、特許文献２参照）や、特定の周期で駆動することにより１つの発光領域で単色及び複数色を表示する方法（例えば、特許文献３参照）が知られている。
【先行技術文献】
【特許文献】
【０００４】
【特許文献１】特開２００８−１７０７５６号公報
【特許文献２】特開２００５−４０６２号公報
【特許文献３】特開２０１０−２７５５号公報
【発明の概要】
【発明が解決しようとする課題】
【０００５】
しかしながら、上記のような構成の有機ＥＬデバイスでは、隣り合うアノード電極間、及び、隣り合うカソード電極間、すなわちドット状の発光領域間には各発光領域が独立して発光するために少なくとも非発光領域が含まれる。
【０００６】
また、複数の電極及び複数の有機発光層を積層した構成の有機ＥＬデバイスに、画素間に非発光領域が含まれるため、複数の発光セグメントが非連続な表示領域として認識されてしまう。さらに、複数の電極及び複数の有機発光層を積層した構成の有機ＥＬデバイスでは、積層された電極と有機層とが直列接続となる場合、各有機層の発光領域を独立して発光させるためには、各有機層の発光領域毎に発光するタイミングをずらした駆動、いわゆる時分割駆動を行う必要がある。
【０００７】
従って、複数の電極及び複数の有機発光層が積層され、電極と有機層とが直列接続となる構成の有機ＥＬデバイスにおいて、非発光領域による継ぎ目のない、発光セグメントを連続した表示領域として認識させることが可能な有機ＥＬデバイスの駆動方法が求められている。
【０００８】
上述した問題の解決のため、本発明においては、発光セグメントを連続した表示領域として認識させることが可能な有機エレクトロルミネッセンスデバイスの駆動方法を提供する。
【課題を解決するための手段】
【０００９】
本発明の有機エレクトロルミネッセンスデバイスの駆動方法は、３層以上の電極層と、電極層間に設けられた２層以上の有機層とを備え、電極層として、第１電極層と、第２電極層と、第３電極層とを有し、有機層として、第１電極層と第２電極層との間に設けられた第１有機層と、第２電極層と第３電極間に設けられた第２有機層とを有し、連続する２層の電極層に形成される電極は、平面配置で部分的に重複する領域を有し、且つ、連続する３層の電極にそれぞれ形成される電極は、平面配置において３層全てが重複する部分を有していない積層構造を有し、第１電極層側からのみ光を射出する有機エレクトロルミネッセンスデバイスの駆動方法であって、第１有機層に供給する印加電圧をＶ１、印加時間をｔ１とし、第２有機層に供給する印加電圧をＶ２、印加時間をｔ２としたとき、［Ｖ１×ｔ１］の値Ｓ１と［Ｖ２×ｔ２］の値Ｓ２とが、［Ｓ１＜Ｓ２］又は［Ｓ１＞Ｓ２］を満たす条件で制御する。
【発明の効果】
【００１０】
本発明によれば、発光セグメントを連続した表示領域として認識させることが可能な有機エレクトロルミネッセンスデバイスの駆動方法を提供することができる。
【図面の簡単な説明】
【００１１】
【図１】第１形態の有機ＥＬデバイスの構成を示す図である。
【図２】第２形態の有機ＥＬデバイスの構成を示す図である。
【図３】第３形態の有機ＥＬデバイスの構成を示す図である。
【図４】第１形態の有機ＥＬデバイスを駆動するためのタイムチャートを示す図である。
【図５】第２形態の有機ＥＬデバイスを駆動するためのタイムチャートを示す図である。
【図６】第３形態の有機ＥＬデバイスを駆動するためのタイムチャートを示す図である。
【発明を実施するための形態】
【００１２】
以下、本発明を実施するための形態の例を説明するが、本発明は以下の例に限定されるものではない。
なお、説明は以下の順序で行う。
１．有機エレクトロルミネッセンスデバイスの概要
２．有機エレクトロルミネッセンスデバイスの駆動方法（第１実施形態）
３．有機エレクトロルミネッセンスデバイスの駆動方法（第２実施形態）
４．有機エレクトロルミネッセンスデバイスの駆動方法（第３実施形態）
【００１３】
〈１．有機エレクトロルミネッセンスデバイスの概要〉
以下、有機エレクトロルミネッセンス（ＥＬ）デバイスの駆動方法の説明に先立ち、駆動方法を適用することが可能な有機ＥＬデバイスの概要を説明する。駆動方法を適用可能な有機ＥＬデバイスは、３層以上の電極層と電極層間に設けられた２層以上の有機層を備え、連続する２層の電極層に形成される電極は、平面配置で部分的に重複する領域を有し、且つ、連続する３層の電極にそれぞれ形成される電極は、平面配置において３層全てが重複する部分を有していない積層構造を有する構成が挙げられる。
【００１４】
上記構成の有機ＥＬデバイスでは、発光セグメント（画素）間に視認される非発光領域を狭める、又は、発光セグメント（画素）間に視認される非発光領域を無くすことができる。このため、非発光領域による継ぎ目のない、発光セグメントが連続した表示領域として認識される有機ＥＬデバイスを実現することができる。
以下、積層される電極層が３層、有機層が２層の構成と、積層される電極層が４層、有機層が３層の構成とを例として、駆動方法を適用可能な有機ＥＬデバイスの構成について説明する。
【００１５】
［第１形態（電極層３層、発光層２層）］
駆動方法を適用するための有機ＥＬデバイスの例として、電極層を３層、発光層を２層備える有機ＥＬデバイスの構成を図１に示す。図１において、上段は有機ＥＬデバイスの断面の構成を示し、下段は有機ＥＬデバイスの平面配置を示している。
【００１６】
図１に示す有機ＥＬデバイス１００は、第１電極層１０、第１有機層２０、第２電極層３０、第２有機層４０、及び、第３電極層５０を備える。すなわち、有機ＥＬデバイス１００は、３層の電極層と、これらの電極層間に設けられた２層の有機層とが、交互に積層された構成を備える。
【００１７】
有機ＥＬデバイス１００において、第１電極層１０には電極１１と電極１２とが設けられている。第２電極層３０には電極３１と電極３２とが設けられ、第３電極層５０には電極５１と電極５２とが設けられている。これらの各電極は、同様の形状に形成されている。また、第１有機層２０と第２有機層４０は、有機ＥＬデバイス１００の表示領域内では、少なくとも有機発光材料を含む発光層を備える。このため、第１有機層２０と第２有機層４０の発光部分は、電極１１、電極１２、電極３１、電極３２、電極５１、及び、電極５２の配置によって設定され、いずれか２つの電極に挟持された部分において、第１有機層２０と第２有機層４０の発光が可能となる。
【００１８】
（電極配置）
有機ＥＬデバイス１００では、第２電極層３０の電極３１及び電極３２の一方（図面左側）の端部が、第１電極層１０の電極１１及び電極１２の一方（図面左側）の端部と他方（図面右側）の端部との間となるように、電極１１と電極３１、及び、電極１２と電極３２とが形成されている。そして、第２電極層３０の電極３１及び電極３２の他方（図面右側）の端部が、第３電極層５０の電極５１及び電極５２の一方（図面左側）の端部と他方（図面右側）の端部との間となるように、電極３１と電極５１、及び、電極３２と電極５２とが形成されている。さらに、第３電極層５０の電極５１及び電極５２の一方（図面左側）の端部と、第１電極層１０の電極１１及び電極１２の他方（図面右側）の端部とが、平面配置において同じ位置となるように電極１１と電極５１、及び、電極１２と電極５２とが形成されている。
【００１９】
このため、有機ＥＬデバイス１００は、第１電極層１０に形成される電極１１と、第２電極層３０に形成される電極３１とが、平面配置において重複する領域（第１領域Ａ）を有する。また、第２電極層３０に形成される電極３１と、第３電極層５０に形成される電極５１とが、平面配置において重複する領域（第２領域Ｂ）を有する。さらに、第１電極層１０に形成される電極１２と、第２電極層３０に形成される電極３２とが、平面配置において重複する領域（第４領域Ｄ）を有する。また、第２電極層３０に形成される電極３２と、第３電極層５０に形成される電極５２とが、平面配置において重複する領域（第５領域Ｅ）を有する。
【００２０】
しかし、第１電極層１０に形成される電極１１及び電極１２と、第２電極層３０に形成される電極３１及び電極３２とが平面配置において重複する第１領域Ａ、第４領域Ｄには、第３電極層５０に形成される電極５１及び電極５２が形成されていない。同様に、第２電極層３０に形成される電極３１及び電極３２と、第３電極層５０に形成される電極５１及び電極５２とが平面配置において重複する第２領域Ｂ、第５領域Ｅには、第１電極層１０に形成される電極１１及び電極１２が形成されていない。
【００２１】
従って、有機ＥＬデバイス１００は、第１電極層１０と第２電極層３０と第３電極層５０とにおいて、連続する２層の電極層に形成される各電極は、平面配置で部分的に重複する領域を有する。尚かつ、連続する３層の電極層にそれぞれ形成される電極１１、電極１２、電極３１、電極３２、電極５１、及び、電極５２の各電極は、平面配置において３層連続して重複する領域を有していない。
【００２２】
（発光領域）
有機ＥＬデバイス１００は、第１電極層１０の電極１１と第２電極層３０の電極３１とが平面配置で重複する第１領域Ａにおいて、電極間に挟持される部分（発光領域２２）の第１有機層２０が発光する。また、第２電極層３０の電極３１と第３電極層５０の電極５１とが平面配置で重複する第２領域Ｂにおいて、電極間に挟持される部分（発光領域４２）の第２有機層４０が発光する。さらに、第１電極層１０の電極１２と第２電極層３０の電極３２とが平面配置で重複する第４領域Ｄにおいて、電極間に挟持される部分（発光領域２３）の第１有機層２０が発光する。また、第２電極層３０の電極３２と第３電極層５０の電極５２とが平面配置で重複する第５領域Ｅにおいて、電極間に挟持される部分（発光領域４３）の第２有機層４０が発光する。このとき、第１有機層２０と第２有機層４０とにおいて、上記第１領域Ａと第４領域Ｄ以外の部分（非発光領域２１）と上記第２領域Ｂと第５領域Ｅ以外の部分（非発光領域４１）は、発光しない。
【００２３】
従って、有機ＥＬデバイス１００では、第２電極層３０の電極３１及び電極３２は発光領域２２と発光領域４２、又は、発光領域２３と発光領域４３とに共通の電極として作用し、第１電極層１０の電極１１及び電極１２は、第１有機層２０の発光領域２２及び発光領域２３にのみ電極として作用し、第３電極層５０の電極５１及び電極５２は、第２有機層４０の発光領域４２及び発光領域４３にのみ電極として作用する。
【００２４】
また、  第２領域Ｂと第４領域Ｄとの間であって、第１電極層１０の電極１２と第３電極層５０の電極５１とが平面配置において重複する領域には、非発光領域となる第３領域Ｃが配置される。また、第５領域Ｅの外側（第４領域Ｄの逆側）であって、第３電極層５０の電極５２が平面配置において第２電極層３０の電極３２と重複しない領域には、非発光領域となる第６領域Ｆが配置される。
【００２５】
（発光セグメント）
有機ＥＬデバイス１００は、第１有機層２０及び第２有機層４０の各発光領域を１セグメントとすると、発光領域２２、発光領域２３、発光領域４２、及び、発光領域４３の４つの発光セグメントを備える構成である。そして、平面配置において一方向に連続する４つの発光セグメントが、それぞれ独立発光可能な構成である。また、この発光セグメントを基準とすると、各電極層には１セグメントおきに２セグメントの幅の電極が形成されている。
【００２６】
従って、有機ＥＬデバイス１００では、発光領域２２と発光領域４２との間、及び、発光領域２３と発光領域４３とには非発光領域が認識されず、発光領域２２と発光領域４２との２つの発光セグメント、及び、発光領域２３と発光領域４３との２つの発光セグメントが連続した表示領域として認識される。このように、有機ＥＬデバイス１００では、２つの発光セグメントの発光領域間における非発光領域の存在を、平面配置上では認識されなくすることができる。
【００２７】
［第２形態（電極層４層、発光層３層）］
次に、駆動方法を適用するための有機ＥＬデバイスの例として、電極層を４層、発光層を３層備える有機ＥＬデバイスの構成を図２に示す。図２において、上段は有機ＥＬデバイスの断面の構成を示し、下段は有機ＥＬデバイスの平面配置を示している。なお、図２に示す有機ＥＬデバイスは、電極層と有機層の積層数が異なることを除き、上述の図１に示す構成の有機ＥＬデバイスと同様に、電極、発光領域（発光セグメント）、及び、非発光領域が配置される。
【００２８】
（構成）
図２に示す有機ＥＬデバイス２００は、第１電極層１０、第１有機層２０、第２電極層３０、第２有機層４０、第３電極層５０、第３有機層６０、及び、第４電極層７０を備える。すなわち、有機ＥＬデバイス２００は、４層の電極層と、これらの電極層間に設けられた３層の有機層とが、交互に積層された構成を備える。
【００２９】
有機ＥＬデバイス２００において、第１電極層１０には、電極１１Ａ、及び、電極１２Ａが設けられている。第２電極層３０には、電極３１、及び、電極３２が設けられている。第３電極層５０には、電極５１、及び、電極５２が設けられている。第４電極層７０には、電極７１Ａ、及び、電極７２Ａが設けられている。これらの各電極は、同様の形状に形成され、均等な間隔を開けて配置されている。
【００３０】
有機ＥＬデバイス２００では、第２電極層３０の電極３１及び電極３２の一方（図面左側）の端部が、第１電極層１０の電極１１Ａ及び電極１２Ａの一方（図面左側）の端部と他方（図面右側）の端部との間となるように、電極１１Ａ及び電極１２Ａと電極３１及び電極３２とが形成されている。このため、電極１１Ａ及び電極１２Ａと電極３１及び電極３２とにおいて、平面配置において重複する領域（第１領域Ａ、第４領域Ｄ）が形成される。そして、第１領域Ａや第４領域Ｄ等において電極１１Ａ及び電極１２Ａと電極３１及び電極３２とに挟持された第１有機層２０に、発光領域２２、及び、発光領域２３が形成される。
【００３１】
また、第２電極層３０の電極３１及び電極３２の他方（図面右側）の端部が、第３電極層５０の電極５１及び電極５２の一方（図面左側）の端部と他方（図面右側）の端部との間となるように、電極３１及び電極３２と電極５１及び電極５２とが形成されている。このため、電極３１及び電極３２と電極５１及び電極５２とにおいて、平面配置において重複する領域（第２領域Ｂ、第５領域Ｅ）が形成される。そして、第２領域Ｂや第５領域Ｅにおいて電極３１及び電極３２と電極５１及び電極５２とに挟持された第２有機層４０に、発光領域４２、及び、発光領域４３が形成される。
【００３２】
さらに、第３電極層５０の電極５１及び電極５２の他方（図面右側）の端部が、第４電極層７０の電極７１Ａ及び電極７２Ａの一方（図面左側）の端部と他方（図面右側）の端部との間となるように、電極５１及び電極５２と電極７１Ａ及び電極７２Ａとが形成されている。このため、電極５１及び電極５２と電極７１Ａ及び電極５２とにおいて、平面配置において重複する領域（第３領域Ｃ、第６領域Ｆ）が形成される。そして、第３領域Ｃや第６領域Ｆにおいて電極５１及び電極５２と電極７１Ａ及び電極７２Ａとに挟持された第３有機層６０に、発光領域６２、及び、発光領域６３が形成される。
【００３３】
そして、第３電極層５０の電極５１及び電極５２の一方（図面左側）の端部と、第１電極層１０の電極１１Ａ及び電極１２Ａの他方（図面右側）の端部とが、平面配置において同じ位置となるように電極１１Ａ及び電極１２Ａと電極５１及び電極５２とが形成されている。このため、第２有機層４０の発光領域４２及び発光領域４３の一方（図面左側）の端部と、第１有機層２０の発光領域２２及び発光領域２３の他方（図面右側）の端部とが、平面配置において隣接した位置に形成される。従って、第１有機層２０の発光領域２２及び発光領域２３と、第２有機層４０の発光領域４２及び発光領域４３との間に、非発光領域２１、非発光領域４１が配置されない。
【００３４】
同様に、第４電極層７０の電極７１Ａ及び電極７２Ａの一方（図面左側）の端部と、第２電極層３０の電極３１及び電極３２の他方（図面右側）の端部とが、平面配置において同じ位置となるように電極３１及び電極３２と電極７１Ａ及び電極７２Ａとが形成されている。このため、第３有機層６０の発光領域６２及び発光領域６３の一方（図面左側）の端部と、第２有機層４０の発光領域４２及び発光領域４３の他方（図面右側）の端部とが、平面配置において隣接した位置に形成される。従って、第２有機層４０の発光領域４２及び発光領域４３と、第３有機層６０の発光領域６２及び発光領域６３との間に、非発光領域４１、非発光領域６１が配置されない。
【００３５】
さらに、第２電極層３０の電極３１及び電極３２の一方（図面左側）の端部と、第３電極層５０の電極５１及び電極５２の他方（図面右側）の端部とが、平面配置において同じ位置となるように電極３１及び電極３２と電極５１及び電極５２とが形成されている。このため、第１有機層２０の発光領域２２及び発光領域２３の一方（図面左側）の端部と、第３有機層６０の発光領域６２及び発光領域６３の他方（図面右側）の端部とが、平面配置において隣接した位置に形成される。従って、第１有機層２０の発光領域２２及び発光領域２３と、第３有機層６０の発光領域６２及び発光領域６３のとの間に、非発光領域２１、非発光領域６１が配置されない。
【００３６】
（発光セグメント）
従って、有機ＥＬデバイス２００は、各発光領域を１セグメントとすると、発光領域２２及び発光領域２３、発光領域４２及び発光領域４３、並びに、発光領域６２及び発光領域６３の複数のセグメントを備える構成である。そして、平面配置において一方向に連続する複数のセグメントの発光領域を、それぞれ独立発光することが可能である。また、この発光セグメントを基準とすると、各電極層には１セグメントおきに２セグメントの幅の電極が形成されている。
【００３７】
従って、有機ＥＬデバイス２００では、発光領域２２及び発光領域２３、発光領域４２及び発光領域４３、並びに、発光領域６２及び発光領域６３の間には非発光領域２１，４１，６１が認識されず、発光領域２２及び発光領域２３、発光領域４２及び発光領域４３、並びに、発光領域６２及び発光領域６３の複数の発光セグメントが連続した表示領域として認識される。このように、有機ＥＬデバイス２００では、各発光セグメントの発光領域間における非発光領域の存在を、平面配置上では認識されなくすることができる。
【００３８】
［第３形態（電極層４層、発光層３層、変形例）］
上述の第１実施形態の有機ＥＬデバイスの変形例を図３に示す。図３に示す有機ＥＬデバイス３００は、第１電極層（最上層）と第４電極層（最下層）の電極形状を除き、上述の図２に示す有機ＥＬデバイス２００と同様の構成である。
【００３９】
有機ＥＬデバイス３００は、発光セグメントを基準とすると、第１電極層（最上層）、第２電極層（中間層）、第３電極層（中間層）。及び、第４電極層（最下層）に、１セグメントおきに２セグメントの幅の電極が形成されている。このため、第１電極層１０の電極１１が、第１領域Ａから第２領域Ｂの反対側の１セグメントまで形成されている。第１電極層１０の電極１２が、第４領域Ｄから第３領域Ｃまで形成されている。そして、第６領域Ｆから第５領域Ｅの反対側の１セグメントまで電極１３が形成されている。また、第４電極層７０の電極７１が、第３領域Ｃから第４領域Ｄまで形成されている。第４電極層７０の電極７２が、第６領域Ｆから第３領域Ｃまで形成されている。そして、第６領域Ｆから第５領域Ｅの反対側の１セグメントまで電極７２が形成されている。
【００４０】
［有機ＥＬデバイスの輝度均一性］
しかしながら、上述の第１形態から第３形態の有機ＥＬデバイスでは、有機ＥＬデバイスの外部に取出される光の輝度が、発光領域毎にばらつく場合がある。例えば、図１に示す有機ＥＬデバイスでは、第１有機層２０の発光領域２２から放出される光は、第１電極層１０の電極１１を透過して、有機ＥＬデバイス１００の外部に取出される。また、第２有機層４０の発光領域４２から放出される光は、第２電極層３０の電極３１を透過して、有機ＥＬデバイス１００の外部に取出される。
【００４１】
このため、第１有機層２０の発光領域２２から放出される光と、第２有機層４０の発光領域４２から放出される光とでは、有機ＥＬデバイス１００の外部に取出されるまでの経路が異なる。このとき、第１電極層１０の電極１１の光透過率と、第２電極層３０の電極３１の光透過率が異なると、第１有機層２０の発光領域２２から取出される光の輝度と、第２有機層４０の発光領域４２から取出される光の輝度とに、差が出る。
【００４２】
第１電極層１０の電極１１の光透過率と、第２電極層３０の電極３１の光透過率が異なる場合としては、例えば、電極１１の厚さと電極３１の厚さとが異なる場合や、電極１１を構成する材料と、電極３１を構成する材料とが異なる場合等がある。特に、有機ＥＬデバイスを作製する際には、電極層や有機層をナノメートルオーダーで積層する必要があるが、成膜精度の問題により各電極層及び各発光層の厚さにバラツキが生じることがある。このため、各電極において厚さの差に起因する光透過率の差が発生する。また、電極１１をＡｇで形成し、第２電極をＡｌで形成した場合には、厚さの場合にもＡｇの方がＡｌよりも光透過率が高いため、材料に起因する透過率の差が発生しやすい。
【００４３】
また、第２有機層４０の発光領域４２から取出される光は、第１有機層２０を通過するが、有機層の影響は電極に比べると小さいため、有機層が有機ＥＬデバイスの輝度の均一性に与える影響は、電極による影響に比べて非常に小さい。このため、有機ＥＬデバイスの輝度の均一性に対しては、電極による影響を検討することが最も重要となる。
【００４４】
一方で、上述の第１形態から第３形態の有機ＥＬデバイスでは、電極が平面配置で部分的に重複しているため、有機層が第Ｎ層まで積層さている場合、第１有機層から第Ｎ有機層までの各発光領域は直列接続となる。このため、各有機層の発光領域を独立して発光させるためには、各有機層の発光領域毎に発光するタイミングをずらした駆動、いわゆる時分割駆動を、各有機層の発光領域に行う必要がある。
【００４５】
従って、上記構成の有機ＥＬデバイスでは、時分割駆動が要求されるため、各電極から各有機層に供給する印加電圧（Ｖ）と印加時間（ｔ）とを、有機層毎に各々任意に調整することができる。これを利用すると、上記構成の有機ＥＬデバイスでは、発光領域毎に、供給する印加電圧（Ｖ）と印加時間（ｔ）とが調整できる。このため、印加電圧（Ｖ）と印加時間（ｔ）との調整により、発光領域から放出される光量や発光時間を、発光領域毎に各々任意に調整することができる。
【００４６】
すなわち、有機ＥＬデバイスの外部に取出されるまでの経路が異なる有機層の発光領域において、それぞれに供給する光量や発光時間を調整して、有機ＥＬデバイスの外部に取出される光の輝度を、均一に調整することができる。例えば、取り出し効率の高い波光領域の光量や発光時間を小さくする、又は、取り出し効率の低い波光領域の光量や発光時間を大きくすることで、輝度の均一性が高まるように発光面から取出される各発光領域の光の輝度を調整することができる。従って、有機ＥＬデバイスから取出される光の輝度の均一性を高めることができる。
【００４７】
以下、上述の構成の有機ＥＬデバイスにおいて、各有機層の発光領域毎に、供給する印加電圧（Ｖ）と印加時間（ｔ）とを調整することにより、有機ＥＬデバイスから取出される光の輝度の均一性を高めることが可能な、有機ＥＬデバイスの駆動方法について説明する。
【００４８】
輝度の均一性を高めるための有機ＥＬデバイスの駆動方法では、各有機層に供給する印加電圧Ｖと印加時間ｔとを調整することにより、印加電圧Ｖと印加時間ｔとの積［Ｖ×ｔ］の値（Ｓ）の条件を各有機層の発光領域毎に設定する。
【００４９】
〈２．有機エレクトロルミネッセンスデバイスの駆動方法（第１実施形態）〉
上述の図１に示す第１形態の有機ＥＬデバイス１００の駆動方法について説明する。また、有機ＥＬデバイス１００の駆動のタイムチャートを図４に示す。
【００５０】
図１に示す有機ＥＬデバイス１００は、４セグメントの発光領域を有する構成である。すなわち、第１電極層１０に電極１１と電極１２とを有し、第２電極層３０に電極３１と電極３２とを有し、第３電極層５０に電極５１と電極５２とを有する。また、第１有機層２０に、非発光領域２１、発光領域２２及び発光領域２３を有し、第２有機層４０に、非発光領域４１、発光領域４２及び発光領域４３を有する。
【００５１】
有機ＥＬデバイス１００の駆動方法において、第１有機層２０の発光領域２２及び発光領域２３に供給する印加電圧をＶ１、印加時間をｔ１とする。また、第２有機層４０の発光領域４２及び発光領域４３に供給する印加電圧をＶ２、印加時間をｔ２とする。そして、印加電圧をＶ１と印加時間をｔ１との積［Ｖ１×ｔ１］の値をＳ１とし、印加電圧をＶ２と印加時間をｔ２との積［Ｖ２×ｔ２］の値をＳ２としたとき、値Ｓ１と値Ｓ２とがそれぞれ異なる値となるように、印加電圧Ｖ１、印加時間ｔ１、印加電圧をＶ２、及び、印加時間ｔ２を、それぞれ調整して、有機ＥＬデバイス１００を駆動する。すなわち、［Ｓ１＜Ｓ２］又は［Ｓ１＞Ｓ２］を満たす条件で制御して有機ＥＬデバイス１００を駆動する。
【００５２】
有機ＥＬデバイス１００においては、第１有機層２０の発光領域２２及び発光領域２３から放出される光は、第１電極層１０の電極１１又は電極１２を透過する。そして、第２有機層４０の発光領域４２及び発光領域４３から放出される光は、第２電極層３０の電極３１又は電極３２を透過する。このとき、上述の構成の有機ＥＬデバイス１００では、第２有機層４０の発光領域４２及び発光領域４３が形成される第２領域Ｂ及び第５領域Ｅでは、第１電極層１０に電極が形成されていない。このため、発光領域４２及び発光領域４３から放出される光は、第１電極層１０の電極を透過しない。
【００５３】
例えば、上述の構成の有機ＥＬデバイス１００において、第１電極層１０の電極１１及び電極１２がＡｇ層から形成され、第２電極層３０の電極３１及び電極３２がＡｌ層から形成され、同じ厚さで形成したＡｇ層とＡｌ層とにおいて、Ａｇ層の透過率を０．５とし、Ａｌ層の透過率を０．１とする。この場合、電極１１及び電極１２は、Ａｇ層であり透過率が０．５であるため、発光領域２２及び発光領域２３から放出される光量１に対し、有機ＥＬデバイス１００から取出される光量が、０．５／１すなわち１／２となる。また、電極３１及び電極３２は、Ａｌ層であり透過率が０．１であるため、発光領域４２及び発光領域４３から放出される光量１に対し、有機ＥＬデバイス１００から取出される光量が、０．１／１すなわち１／１０程度となる。なお、発光領域４２及び発光領域４３から放出される光は、第１有機層２０によって僅かに減衰を受けるものの、有機層が１層であれば減衰による影響は電極３１及び電極３２に比べて小さいため、ここでは、電極３１及び電極３２による影響のみを考慮する。
【００５４】
従って、発光領域２２及び発光領域２３と、発光領域４２及び発光領域４３とを、同じ光量となるように発光させた場合には、発光領域４２及び発光領域４３から取出される光量は、発光領域２２及び発光領域２３の１／５程度となる。このため、発光領域２２及び発光領域２３が配置される第１領域Ａと第４領域Ｄから取出される光の輝度に比べ、発光領域４２及び発光領域４３が配置される第２領域Ｂと第５領域Ｅから取出される光の輝度が低下する。従って、有機ＥＬデバイス１００において各発光領域から取出される光の輝度にバラツキが発生する。
【００５５】
そこで、上記構成の有機ＥＬデバイス１００において、各発光領域から取出される光の輝度を均一化することが可能となる駆動方法として、各発光領域を駆動するタイムチャート図４に示す。図４に示すタイムチャートでは、上述のように有機ＥＬデバイス１００において、第１電極層１０の電極１１及び電極１２がＡｇ層から形成され、第２電極層３０の電極３１及び電極３２がＡｌ層から形成されている構成であり、さらに、同じ厚さの層として形成したＡｇ層とＡｌ層とにおいて、Ａｇ層の透過率を０．５とし、Ａｌ層の透過率を０．１とした構成において、各発光領域から取出される光の輝度を均一化することが可能となる方法である。
【００５６】
有機ＥＬデバイス１００の駆動では、図４にタイムチャートを示すように、まず、第１電極層１０の電極１１及び電極１２と、第２電極層３０の電極３１及び電極３２に電流を印加して、第１有機層２０における発光領域２２と発光領域２３とを発光させる。次に、第２電極層３０の電極３１及び電極３２と、第３電極層５０の電極５１及び電極５２に電流を印加して、第２有機層４０における発光領域４２と発光領域４３とを発光させる。このとき、同じ有機層に形成される発光領域は、同時に発光させることができる。また、第１有機層２０における発光領域２２と発光領域２３とを発光させるタイミングと、第２有機層４０における発光領域４２と発光領域４３とを発光させるタイミングとの間には、いずれの電極にも電流を印加しない期間を設けることが好ましい。
【００５７】
上記構成の有機ＥＬデバイス１００では、第１有機層２０の発光領域２２及び発光領域２３に供給する印加電圧Ｖ１と印加時間ｔ１との積［Ｖ１×ｔ１］の値Ｓ１と、第２有機層４０の発光領域４２及び発光領域４３に供給する印加電圧Ｖ２と印加時間ｔ２との積［Ｖ２×ｔ２］の値Ｓ２とが同じ場合には、電極の光透過率差により、発光領域４２及び発光領域４３から取出される光量が、発光領域２２及び発光領域２３の１／５程度となる。
【００５８】
従って、第２有機層４０の発光領域４２及び発光領域４３に供給する印加電圧Ｖ２と印加時間ｔ２との積［Ｖ２×ｔ２］の値Ｓ２を、第１有機層２０の発光領域２２及び発光領域２３に供給する印加電圧Ｖ１と印加時間ｔ１との積［Ｖ１×ｔ１］の値Ｓ１の５倍程度とすることにより、有機ＥＬデバイス１００の第１領域Ａ及び第４領域Ｄの輝度と、第２領域Ｂ及び第５領域Ｅの輝度の輝度とが同程度となる。これにより、有機ＥＬデバイス１００において、発光領域２２、発光領域２３、発光領域４２、及び、発光領域４３、から取出される光の輝度を均一化することが可能となる。
【００５９】
値Ｓ２を値Ｓ１の５倍程度とする方法としては、例えば、図４にタイムチャートを示すように、第１有機層２０の発光領域２２及び発光領域２３と、第２有機層４０の発光領域４２及び発光領域４３とのｄｕｔｙ比を変えることにより、発光領域２２、発光領域２３、発光領域４２、及び、発光領域４３、から取出される光の輝度を均一化する。
【００６０】
具体的には、印加電圧Ｖ１と印加電圧Ｖ２とを同じとし、印加時間ｔ１のｄｕｔｙ比を約１７％、印加時間ｔ２のｄｕｔｙ比を約８３％とする。これにより、印加時間ｔ２の発光時間を印加時間ｔ１の発光時間の５倍となり、発光領域４２及び発光領域４３の発光時間が発光領域２２及び発光領域２３の発光時間の５倍となる。このため、発光領域２２及び発光領域２３から取出される光の輝度と、発光領域４２及び発光領域４３から取出される光の輝度とが同程度となる。これは、一般にパルス幅変調（ＰＷＭ；pulse-width modulation）と呼ばれる駆動方法である。
【００６１】
また、印加時間ｔ１と印加時間ｔ２とを同じとし、印加電圧Ｖ２を印加電圧Ｖ１の５倍とする。これにより、発光領域４２及び発光領域４３の光量が発光領域２２及び発光領域２３の光量の５倍となり、発光領域２２及び発光領域２３から取出される光の輝度と、発光領域４２及び発光領域４３から取出される光の輝度とが同程度となる。これは、一般にパルス振幅変調（ＰＡＭ；pulse-amplitude modulation）と呼ばれる駆動方法である。
【００６２】
或いは、印加時間ｔ１と印加時間ｔ２、及び、印加電圧Ｖ２と印加電圧Ｖ１とを、値Ｓ２が値Ｓ１の５倍程度となるように調整する。これにより、発光領域４２及び発光領域４３の光量と発光時間と、発光領域２２及び発光領域２３の光量と発光時間とを、発光領域４２及び発光領域４３から取出される光の輝度が、発光領域２２及び発光領域２３から取出される光の輝度と同程度となるように調整する。
【００６３】
このように、パルス幅やパルス振幅を変調し、又は、両方を変調して、有機ＥＬデバイス１００を駆動することにより、各発光領域から取出される光の輝度を均一化することが可能となる。なお、有機ＥＬデバイス１００を駆動では、フリッカーを防ぐために６０Ｈｚ以上とすることが好ましい。また、有機ＥＬデバイスを構成する電極や有機層、基材等の材料、及び、各構成の製法は、特に限定されない。電極層は、ＡｇやＡｌ等の金属薄膜の他にも有機ＥＬデバイスに適用可能な公知の材料を用いることができ、例えば、ＩＴＯやＩＺＯ等の金属酸化物、複合酸化物、半導体材料等を用いることができる。有機層も有機ＥＬデバイスに適用可能な公知の材料を用いることができ、製法も蒸着、塗布に限定しない。
【００６４】
〈３．有機エレクトロルミネッセンスデバイスの駆動方法（第２実施形態）〉
次に、上述の図２に示す第２形態の有機ＥＬデバイス２００の駆動方法について説明する。また、有機ＥＬデバイス２００の駆動のタイムチャートを図５に示す。図２に示す有機ＥＬデバイス２００は、上述の第１実施形態の有機ＥＬデバイスから、有機層と電極層とがともに１層ずつ増えた構成であり、これ以外は、上述の第１実施形態の有機ＥＬデバイスと同様の構成である。
【００６５】
（構成）
図２に示す有機ＥＬデバイス２００は、６セグメントの発光領域を有する構成である。すなわち、第１電極層１０に電極１１と電極１２とを有し、第２電極層３０に電極３１と電極３２とを有し、第３電極層５０に電極５１と電極５２とを有し、第４電極層７０に電極７１と電極７２とを有する。また、第１有機層２０に、非発光領域２１、発光領域２２及び発光領域２３を有し、第２有機層４０に、非発光領域４１、発光領域４２及び発光領域４３を有し、第３有機層６０に、非発光領域６１、発光領域６２及び発光領域６３を有する。
【００６６】
有機ＥＬデバイス２００は、上述の第１実施形態の有機ＥＬデバイスの構成に、第３有機層６０と第４電極層７０とを有する。第３有機層６０の発光領域６２から放出される光が、第３電極層５０の電極５１を透過する。また、第３有機層６０の発光領域６３から放出される光が、第３電極層５０の電極５２を透過する。
【００６７】
有機ＥＬデバイス２００においても、例えば、第１電極層１０の電極１１及び電極１２がＡｇ層から形成され、第２電極層３０の電極３１及び電極３２がＡｌ層から形成され、第３電極層５０の電極５１及び電極５２がＡｌ層から形成され、同じ厚さで形成したＡｇ層とＡｌ層とにおいて、Ａｇ層の透過率を０．５とし、Ａｌ層の透過率を０．１とする。
【００６８】
このとき、発光領域２２及び発光領域２３から放出される光量１に対し、有機ＥＬデバイス２００から取出される光量は、Ａｇ層であり透過率が０．５であるため、１／２となる。また、発光領域４２及び発光領域４３から放出される光量１に対し、有機ＥＬデバイス２００から取出される光量は、Ａｌ層であり透過率が０．１であり、さらに第１有機層２０による減衰を受けるため、１／１２程度となる。また、発光領域６２及び発光領域６３から放出される光量１に対し、有機ＥＬデバイス２００から取出される光量は、電極５１及び電極５２は、Ａｌ層であり透過率が０．１であり、さらに第１有機層２０と第２有機層４０とによる減衰を受けるため、１／１８程度となる。
【００６９】
このため、発光領域２２及び発光領域２３が配置される第１領域Ａと第４領域Ｄから取出される光の輝度に比べ、発光領域４２、発光領域４３、発光領域６２及び発光領域６３が配置される第２領域Ｂ、第３領域Ｃ、第５領域Ｅ及び第６領域Ｆから取出される光の輝度が低下する。従って、有機ＥＬデバイス２００において各発光領域から取出される光の輝度にバラツキが発生する。
【００７０】
（駆動方法）
有機ＥＬデバイス２００の駆動方法において、第１有機層２０の発光領域２２及び発光領域２３に供給する印加電圧をＶ１、印加時間をｔ１とする。また、第２有機層４０の発光領域４２及び発光領域４３に供給する印加電圧をＶ２、印加時間をｔ２とする。また、第３有機層６０の発光領域６２及び発光領域４３に供給する印加電圧をＶ３、印加時間をｔ３とする。そして、印加電圧をＶ１と印加時間をｔ１との積［Ｖ１×ｔ１］の値をＳ１とし、印加電圧をＶ２と印加時間をｔ２との積［Ｖ２×ｔ２］の値をＳ２とし、印加電圧をＶ３と印加時間をｔ３との積［Ｖ３×ｔ３］の値をＳ３とする。
【００７１】
このとき、値Ｓ１と値Ｓ２と値Ｓ３とを、有機ＥＬデバイス２００の第１領域Ａから第６領域Ｆまでの各領域から取出される光の輝度の均一化する値となるように、印加電圧Ｖ１、印加時間ｔ１、印加電圧をＶ２、印加時間ｔ２、印加電圧をＶ３、及び、印加時間ｔ３を、それぞれ調整して、有機ＥＬデバイス２００を駆動する。例えば、値Ｓ１と値Ｓ２と値Ｓ３とをすべて異なる値となる条件や、値Ｓ１と値Ｓ２と値Ｓ３とのいずれか１つを異なる値とし、他の２つを同じ値となる条件で、印加電圧Ｖ１、印加時間ｔ１、印加電圧をＶ２、印加時間ｔ２、印加電圧をＶ３、及び、印加時間ｔ３を、それぞれ調整して、有機ＥＬデバイス２００を駆動する。具体的には、［Ｓ１＜Ｓ２］、［Ｓ１＜Ｓ３］、及び、［Ｓ２＝Ｓ３］を満たす条件や、［Ｓ１＞Ｓ２］、［Ｓ１＞Ｓ３］、及び、［Ｓ２＝Ｓ３］を満たす条件で制御して有機ＥＬデバイス２００を駆動する。
【００７２】
上記構成の有機ＥＬデバイス２００における、各発光領域から取出される光の輝度を均一化することが可能となる、各発光領域を駆動するタイムチャートの一例を図５に示す。有機ＥＬデバイス２００の駆動では、図５にタイムチャートを示すように、まず、第１電極層１０の電極１１及び電極１２と、第２電極層３０の電極３１及び電極３２に電流を印加して、第１有機層２０における発光領域２２と発光領域２３とを発光させる。次に、第２電極層３０の電極３１及び電極３２と、第３電極層５０の電極５１及び電極５２に電流を印加して、第２有機層４０における発光領域４２と発光領域４３とを発光させる。次に、第３電極層５０の電極５１及び電極５２と、第４電極層７０の電極７１及び電極７２に電流を印加して、第３有機層６０における発光領域６２と発光領域６３とを発光させる。
【００７３】
このとき、同じ有機層に形成される発光領域は、同時に発光させることができる。また、第１有機層２０における発光領域２２と発光領域２３とを発光させるタイミングと、第２有機層４０における発光領域４２と発光領域４３とを発光させるタイミングと、第３有機層６０における発光領域６２と発光領域６３とを発光させるタイミングとの間には、いずれの電極にも電流を印加しない期間を設けることが好ましい。
【００７４】
上記構成の有機ＥＬデバイス２００では、第１有機層２０の発光領域２２及び発光領域２３に供給する印加電圧Ｖ１と印加時間ｔ１との積［Ｖ１×ｔ１］の値Ｓ１と、第２有機層４０の発光領域４２及び発光領域４３に供給する印加電圧Ｖ２と印加時間ｔ２との積［Ｖ２×ｔ２］の値Ｓ２とが同じ場合には、電極の光透過率差により、発光領域４２及び発光領域４３から取出される光量が、発光領域２２及び発光領域２３の１／６程度となる。また、第１有機層２０の発光領域２２及び発光領域２３に供給する印加電圧Ｖ１と印加時間ｔ１との積［Ｖ１×ｔ１］の値Ｓ１と、第３有機層６０の発光領域６２及び発光領域６３に供給する印加電圧Ｖ３と印加時間ｔ３との積［Ｖ３×ｔ３］の値Ｓ３とが同じ場合には、電極の光透過率差により、発光領域６２及び発光領域６３から取出される光量が、発光領域２２及び発光領域２３の１／９程度となる。
【００７５】
従って、第２有機層４０の発光領域４２及び発光領域４３に供給する印加電圧Ｖ２と印加時間ｔ２との積［Ｖ２×ｔ２］の値Ｓ２を、第１有機層２０の発光領域２２及び発光領域２３に供給する印加電圧Ｖ１と印加時間ｔ１との積［Ｖ１×ｔ１］の値Ｓ１の６倍程度とする。同様に、第３有機層６０の発光領域６２及び発光領域６３に供給する印加電圧Ｖ３と印加時間ｔ３との積［Ｖ３×ｔ３］の値Ｓ３とを、第１有機層２０の発光領域２２及び発光領域２３に供給する印加電圧Ｖ１と印加時間ｔ１との積［Ｖ１×ｔ１］の値Ｓ１の９倍程度とする。これにより有機ＥＬデバイス２００の第１領域Ａ及び第４領域Ｄの輝度と、第２領域Ｂ、第３領域Ｃ、第５領域Ｅ、及び、第６領域Ｆの輝度とが同程度となる。この結果、有機ＥＬデバイス２００において、発光領域２２、発光領域２３、発光領域４２、発光領域４３、発光領域６２、及び、発光領域６３から取出される光の輝度を均一化することが可能となる。
【００７６】
値Ｓ２を値Ｓ１の６倍程度とする方法、及び、値Ｓ３を値Ｓ１の９倍程度とする方法としては、例えば、図５にタイムチャートを示すように、印加電圧Ｖ１と印加電圧Ｖ２と印加電圧Ｖ３を同じとし、各発光領域のｄｕｔｙ比を変える。具体的には、印加時間ｔ１のｄｕｔｙ比を約５％、印加時間ｔ２のｄｕｔｙ比を約３０％、印加時間ｔ３のｄｕｔｙ比を約４５％とする。
【００７７】
これにより、発光領域４２及び発光領域４３の発光時間が、発光領域２２及び発光領域２３の発光時間の６倍となる。また、発光領域６２及び発光領域６３の発光時間が、発光領域２２及び発光領域２３の発光時間の９倍となる。このため、発光領域２２及び発光領域２３から取出される光の輝度と、発光領域４２、発光領域４３、発光領域６２及び発光領域６３から取出される光の輝度とが同程度となる。これは、一般にパルス幅変調（ＰＷＭ；pulse-width modulation）と呼ばれる駆動方法である。
【００７８】
また、印加時間ｔ１と印加時間ｔ２と印加時間ｔ３とを同じとし、印加電圧Ｖ２を印加電圧Ｖ１の６倍とし、印加電圧Ｖ３を印加電圧Ｖ１の９倍とする。これにより、発光領域４２及び発光領域４３の光量が、発光領域２２及び発光領域２３の光量の６倍となり、発光領域６２及び発光領域６３の光量が、発光領域２２及び発光領域２３の光量の９倍となる発光領域２２及び発光領域２３から取出される光の輝度と、発光領域４２、発光領域４３、発光領域６２及び発光領域６３から取出される光の輝度とが同程度となる。これは、一般にパルス振幅変調（ＰＡＭ；pulse-amplitude modulation）と呼ばれる駆動方法である。
【００７９】
或いは、印加電圧Ｖ１と印加電圧Ｖ２と印加電圧Ｖ３、及び、印加時間ｔ１と印加時間ｔ２と印加時間ｔ３とを、値Ｓ２が値Ｓ１の６倍程度、値Ｓ３が値Ｓ１の９倍程度となるように調整する。これにより、発光領域４２、発光領域４３、発光領域６２及び発光領域６３の光量と発光時間と、発光領域２２及び発光領域２３の光量と発光時間とを、発光領域４２、発光領域４３、発光領域６２及び発光領域６３から取出される光の輝度が、発光領域２２及び発光領域２３から取出される光の輝度と同程度となるように調整する。
【００８０】
このように、パルス幅やパルス振幅を変調し、又は、両方を変調して、有機ＥＬデバイス２００を駆動することにより、各発光領域から取出される光の輝度を均一化することが可能となる。
【００８１】
〈４．有機エレクトロルミネッセンスデバイスの駆動方法（第３実施形態）〉
次に、上述の図２に示す第３形態の有機ＥＬデバイス３００の駆動方法について説明する。また、有機ＥＬデバイス３００の駆動のタイムチャートを図６に示す。図３に示す有機ＥＬデバイス３００は、上述の第２実施形態の有機ＥＬデバイスから、第１電極層（最上層）、第２電極層（中間層）、第３電極層（中間層）。及び、第４電極層（最下層）に、１セグメントおきに２セグメントの幅の電極が形成されている。
【００８２】
（構成）
有機ＥＬデバイス３００では、第１電極層１０の電極１２が、第４領域Ｄから第３領域Ｃまで形成されているため、第３有機層６０の発光領域６２から放出される光が、第１電極層１０の電極１２と、第３電極層５０の電極５１とを透過する。また、第６領域Ｆから第５領域Ｅの反対側の１セグメントまで電極１３が形成されているため、第３有機層６０の発光領域６３から放出される光が、第１電極層１０の電極１３と、第３電極層５０の電極５２とを透過する。
【００８３】
従って、有機ＥＬデバイス３００では、第３有機層６０の発光領域６２及び発光領域６３から放出される光は、第３電極層５０の電極５１及び電極５２だけでなく、第１電極層１０の電極１２及び電極１３の影響も受ける点が、第３形態の有機ＥＬデバイス３００が上述の第２形態の有機ＥＬデバイスと異なる部分である。以下の説明では、上述の第２実施形態の有機ＥＬデバイスの駆動方法と異なる部分である、第３有機層６０の発光領域６２及び発光領域６３の駆動方法について説明する。なお、その他の各発光領域の駆動は上述の第２実施形態の有機ＥＬデバイスと同様に行うことができる。
【００８４】
有機ＥＬデバイス３００において、例えば、第１電極層１０の電極１１、電極１２、及び、第３電極がＡｇ層から形成され、第３電極層５０の電極５１及び電極５２がＡｌ層から形成され、同じ厚さで形成したＡｇ層とＡｌ層とにおいて、Ａｇ層の透過率を０．５とし、Ａｌ層の透過率を０．１とする。
【００８５】
このとき、発光領域６２から放出される光の光量を１とすると、機ＥＬデバイス３００から取出される光量は、電極５１を透過する際に光量が１／１０となり、第２有機層４０と第１有機層２０とによる減衰を受けて低下し、さらに、電極１２を透過することにより、光量が１／１８となる。同様に、発光領域６３から放出される光の光量を１とすると、電極５２を透過する際に光量が１／１０となり、第２有機層４０と第１有機層２０とによる減衰を受けて低下し、さらに、電極１３を透過することにより、光量が１／３６となる。すなわち、有機ＥＬデバイス３００において、第３領域Ｃ及び第６領域Ｆから取出される光の光量は、発光領域６２から放出される光の１／３６となる。有機ＥＬデバイス３００から取出される光の光量は、発光領域から放出される光量と透過する各電極の透過率との積に、さらに透過する有機層による減衰を加味したものとなる。
【００８６】
また、有機ＥＬデバイス３００では、発光領域２２及び発光領域２３から放出される光の光量を１とすると、電極１１又は電極１２を透過する際に光量が１／２となる。同様に、発光領域４２及び発光領域４３から放出される光の光量を１とすると、電極３１又は電極３２及び第１有機層２０を透過する際に光量が１／１２となる。
【００８７】
従って、発光領域２２及び発光領域２３と、発光領域４２及び発光領域４３と、発光領域６２及び発光領域６３を、同じ光量となるように発光させた場合には、発光領域６２及び発光領域６３から取出される光量は、発光領域４２及び発光領域４３の１／３程度となり、発光領域２２及び発光領域２３の１／１８程度となる。このため、第１領域Ａと第４領域Ｄ、第２領域Ｂ及び第５領域Ｅ、並びに、第３領域Ｃ及び第６領域Ｆから取出される光の輝度が全て異なり、有機ＥＬデバイス３００において各発光領域から取出される光の輝度にバラツキが発生する。
【００８８】
（駆動方法）
有機ＥＬデバイス３００の駆動方法において、第１有機層２０の発光領域２２及び発光領域２３に供給する印加電圧をＶ１、印加時間をｔ１とする。また、第２有機層４０の発光領域４２及び発光領域４３に供給する印加電圧をＶ２、印加時間をｔ２とする。また、第３有機層６０の発光領域６２及び発光領域６３に供給する印加電圧をＶ３、印加時間をｔ３とする。そして、印加電圧をＶ１と印加時間をｔ１との積［Ｖ１×ｔ１］の値をＳ１とし、印加電圧をＶ２と印加時間をｔ２との積［Ｖ２×ｔ２］の値をＳ２とし、印加電圧をＶ３と印加時間をｔ３との積［Ｖ３×ｔ３］の値をＳ３とする。
【００８９】
このとき、値Ｓ１と値Ｓ２と値Ｓ３とを、有機ＥＬデバイス３００の第１領域Ａから第６領域Ｆまでの各領域から取出される光の輝度の均一化する値となるように、印加電圧Ｖ１、印加時間ｔ１、印加電圧をＶ２、印加時間ｔ２、印加電圧をＶ３、及び、印加時間ｔ３を、それぞれ調整して、有機ＥＬデバイス３００を駆動する。具体的には、値Ｓ１と値Ｓ２と値Ｓ３とをすべて異なる値となる条件に、印加電圧Ｖ１、印加時間ｔ１、印加電圧をＶ２、印加時間ｔ２、印加電圧をＶ３、及び、印加時間ｔ３を、それぞれ調整して、有機ＥＬデバイス３００を駆動する。
【００９０】
上記構成の有機ＥＬデバイス３００における、各発光領域から取出される光の輝度を均一化することが可能となる、各発光領域を駆動するタイムチャートの一例を図６に示す。有機ＥＬデバイス３００の駆動では、図６にタイムチャートを示すように、まず、第１電極層１０の電極１１及び電極１２と、第２電極層３０の電極３１及び電極３２に電流を印加して、第１有機層２０における発光領域２２と発光領域２３とを発光させる。次に、第２電極層３０の電極３１及び電極３２と、第３電極層５０の電極５１及び電極５２に電流を印加して、第２有機層４０における発光領域４２と発光領域４３とを発光させる。次に、第３電極層５０の電極５１及び電極５２と、第４電極層７０の電極７１及び電極７２に電流を印加して、第３有機層６０における発光領域６２と発光領域６３とを発光させる。
【００９１】
このとき、同じ有機層に形成される発光領域は、同時に発光させることができる。また、第１有機層２０における発光領域２２と発光領域２３とを発光させるタイミングと、第２有機層４０における発光領域４２と発光領域４３とを発光させるタイミングと、第３有機層６０における発光領域６２と発光領域６３とを発光させるタイミングとの間には、いずれの電極にも電流を印加しない期間を設けることが好ましい。
【００９２】
上記構成の有機ＥＬデバイス３００では、第１有機層２０の発光領域２２及び発光領域２３に供給する印加電圧Ｖ１と印加時間ｔ１との積［Ｖ１×ｔ１］の値Ｓ１と、第２有機層４０の発光領域４２及び発光領域４３に供給する印加電圧Ｖ２と印加時間ｔ２との積［Ｖ２×ｔ２］の値Ｓ２とが同じ場合には、電極の光透過率差により、発光領域４２及び発光領域４３から取出される光量が、発光領域２２及び発光領域２３の１／６程度となる。また、第１有機層２０の発光領域２２及び発光領域２３に供給する印加電圧Ｖ１と印加時間ｔ１との積［Ｖ１×ｔ１］の値Ｓ１と、第３有機層６０の発光領域６２及び発光領域６３に供給する印加電圧Ｖ３と印加時間ｔ３との積［Ｖ３×ｔ３］の値Ｓ３とが同じ場合には、電極の光透過率差により、発光領域６２及び発光領域６３から取出される光量が、発光領域２２及び発光領域２３の１／１８程度、発光領域４２及び発光領域４３の１／３程度となる。
【００９３】
従って、第２有機層４０の発光領域４２及び発光領域４３に供給する印加電圧Ｖ２と印加時間ｔ２との積［Ｖ２×ｔ２］の値Ｓ２を、第１有機層２０の発光領域２２及び発光領域２３に供給する印加電圧Ｖ１と印加時間ｔ１との積［Ｖ１×ｔ１］の値Ｓ１の６倍程度とする。そして、第３有機層６０の発光領域６２及び発光領域６３に供給する印加電圧Ｖ３と印加時間ｔ３との積［Ｖ３×ｔ３］の値Ｓ３を、第１有機層２０の発光領域２２及び発光領域２３に供給する印加電圧Ｖ１と印加時間ｔ１との積［Ｖ１×ｔ１］の値Ｓ１の１８倍程度とする。これにより、有機ＥＬデバイス３００の第１領域Ａ及び第４領域Ｄの輝度と、第２領域Ｂ、第３領域Ｃ、第５領域Ｅ、及び、第６領域Ｆの輝度とが同程度となる。これにより、有機ＥＬデバイス３００において、発光領域２２、発光領域２３、発光領域４２、発光領域４３、発光領域６２、及び、発光領域６３から取出される光の輝度を均一化することが可能となる。
【００９４】
値Ｓ２を値Ｓ１の６倍程度とし、値Ｓ３を値Ｓ１の１８倍程度、Ｓ２の３倍程度とする方法としては、例えば、図６にタイムチャートを示すように、印加電圧Ｖ１と印加電圧Ｖ２と印加電圧Ｖ３を同じとし、各発光領域のｄｕｔｙ比を変える。具体的には、印加時間ｔ１のｄｕｔｙ比を約５％、印加時間ｔ２のｄｕｔｙ比を約３０％、印加時間ｔ３のｄｕｔｙ比を約９０％とする。これにより、印加電圧Ｖ１と印加電圧Ｖ２と印加電圧Ｖ３を同じとし、印加時間ｔ２を印加時間ｔ１の６倍とし、印加時間ｔ３を印加時間ｔ１の１８倍とする。この結果、発光領域４２及び発光領域４３の発光時間が、発光領域２２及び発光領域２３の発光時間の６倍となる。そして、発光領域６２及び発光領域６３の発光時間が、発光領域２２及び発光領域２３の発光時間の１８倍となり、発光領域４２及び発光領域４３の発光時間の３倍となる。このため、発光領域２２、発光領域２３、発光領域４２、発光領域４３、発光領域６２及び発光領域６３から取出される光の輝度が同程度となる。これは、一般にパルス幅変調（ＰＷＭ；pulse-width modulation）と呼ばれる駆動方法である。
【００９５】
また、印加時間ｔ１と印加時間ｔ２と印加時間ｔ３とを同じとし、印加電圧Ｖ２を印加電圧Ｖ１の６倍とし、印加電圧Ｖ３を印加電圧Ｖ１の１８倍とする。これにより、発光領域４２及び発光領域４３の光量が、発光領域２２及び発光領域２３の光量の６倍となり、発光領域６２及び発光領域６３の光量が、発光領域２２及び発光領域２３の光量の１８倍となる。従って発光領域２２、発光領域２３、発光領域４２、発光領域４３、発光領域６２及び発光領域６３から取出される光の輝度が同程度となる。これは、一般にパルス振幅変調（ＰＡＭ；pulse-amplitude modulation）と呼ばれる駆動方法である。
【００９６】
或いは、印加電圧Ｖ１と印加電圧Ｖ２と印加電圧Ｖ３、及び、印加時間ｔ１と印加時間ｔ２と印加時間ｔ３を、値Ｓ２が値Ｓ１の６倍程度となり、値Ｓ３が値Ｓ１の１８倍程度となるように調整する。これにより、発光領域２２、発光領域２３、発光領域４２、発光領域４３、発光領域６２及び発光領域６３から取出される光の輝度が同程度となるように調整する。
【００９７】
なお、有機ＥＬデバイス３００においても、各電極の構成や積層形態に応じて、値Ｓ１と値Ｓ２と値Ｓ３とのいずれか１つを異なる値とし、他の２つを同じ値となる条件で、印加電圧Ｖ１、印加時間ｔ１、印加電圧をＶ２、印加時間ｔ２、印加電圧をＶ３、及び、印加時間ｔ３を、それぞれ調整して、有機ＥＬデバイス３００を駆動してもよい。
【００９８】
このように、パルス幅やパルス振幅を変調し、又は、両方を変調して、有機ＥＬデバイス３００を駆動することにより、各発光領域から取出される光の輝度を均一化することが可能となる。
【００９９】
なお、本発明は上述の実施形態例において説明した構成に限定されるものではなく、その他本発明構成を逸脱しない範囲において種々の変形、変更が可能である。
【符号の説明】
【０１００】
１０  第１電極層、１００，２００，３００  有機ＥＬデバイス、１１，１１Ａ，１２，１２Ａ，１３，３１，３２，５１，５２，７１，７１Ａ，７２，７２Ａ  電極、２０  第１有機層、２１，４１，６１  非発光領域、２２，２３，４２，４３，６２，６３  発光領域、３０  第２電極層、４０  第２有機層、５０  第３電極層、６０  第３有機層、７０  第４電極層
【図１】
2018185481.tif 000003
【図２】
2018185481.tif 000004
【図３】
2018185481.tif 000005
【図４】
2018185481.tif 000006
【図５】
2018185481.tif 000007
【図６】
2018185481.tif 000008